(57)【特許請求の範囲】
【請求項１】
映像表示装置におけるマルチメディアコンテンツの再生時点を検索する方法において、
マルチメディアコンテンツを再生する過程と、
マルチメディアコンテンツを再生する途中少なくとも２つの映像探索バーを表示する過程と、
前記映像探索バーのうちの第１映像探索バーに対する第１タッチに基づいて、第１地点を決定し、第２タッチに基づいて第２地点を決定する過程と、
前記第１地点と前記第２地点に基づいて精密探索区間を決定する過程と、
前記映像探索バーのうちの第２映像探索バーに前記精密探索区間をマッチングする過程と、を含むことを特徴とする方法。
【請求項２】
前記映像探索バーを表示する過程は、
前記マルチメディアコンテンツを再生する途中にマルチメディアコンテンツの再生領域に対するタッチが感知される場合、少なくとも２つの映像探索バーを表示する過程を含むことを特徴とする請求項１に記載の方法。
【請求項３】
前記映像探索バーを表示する過程は、
前記マルチメディアコンテンツを再生する途中第１イベントが発生する場合、活性化された第１映像探索バーと非活性化された第２映像探索バーを表示する過程と、
前記マルチメディアコンテンツを再生する途中第２イベントが発生する場合、前記第２映像探索バーを活性化する過程と、を含むことを特徴とする請求項１に記載の方法。
【請求項４】
前記第１タッチと前記第２タッチは、順次に、又は同一の時点に検出されることを特徴とする請求項１に記載の方法。
【請求項５】
映像表示装置におけるマルチメディアコンテンツの再生時点を検索する方法において、
マルチメディアコンテンツを再生する過程と、
前記マルチメディアコンテンツを再生する途中に第１イベントが発生する場合、第１映像探索バーを表示する過程と、
前記マルチメディアコンテンツを再生する途中に第２イベントが発生する場合、
前記第１映像探索バーに対する第１タッチに基づいて第１時点を決定し、第２タッチに基づいて第２地点を決定する過程と、
前記第１地点と前記第２地点に基づいて精密探索区間を決定する過程と、
前記精密探索区間がマッチングされた第２映像探索バーを表示する過程と、を含むことを特徴とする方法。
【請求項６】
前記第１タッチと前記第２タッチは、順次に、又は同一の時点に検出されることを特徴とする請求項５に記載の方法。
【請求項７】
映像表示装置におけるマルチメディアコンテンツの再生時点を検索するための方法において、
マルチメディアコンテンツを再生する過程と、
前記マルチメディアコンテンツ再生する途中に第１イベントが発生する場合、第１映像探索バーを表示する過程と、
前記マルチメディアコンテンツを再生する途中に第２イベントが発生する場合、前記第１映像探索バーの長さを拡張して表示する過程と、を含むことを特徴とする請求項５に記載の方法。
【請求項８】
映像表示装置におけるマルチメディアコンテンツの再生時点を検索する方法において、
マルチメディアコンテンツを再生する過程と、
探索イベントが発生する場合、映像探索バーを表示する過程と、
前記映像探索バーに対するタッチが感知される場合、前記映像探索バーに対するタッチ形態を確認する過程と、
前記映像探索バーに対するタッチ形態が上又は下ドラッグ及び円形ドラッグのうち少なくとも一つである場合、前記タッチ形態に対応する変更間隔に基づいて前記マルチメディアコンテンツの再生時点を変更する過程と、
前記映像探索バーに対するタッチ形態が左又は右ドラッグである場合、前記ドラッグ距離に基づいてマルチメディアコンテンツの再生時点を変更する過程と、を含むことを特徴とする方法。
【請求項９】
映像表示装置において、
タッチスクリーンと、
マルチメディアコンテンツを再生する途中、前記タッチスクリーンに少なくとも２つの映像探索バーを前記タッチスクリーンに表示し、
前記映像探索バーのうちの第１映像探索バーに対する第１タッチに基づいて決定した第１地点と第２タッチに基づいて決定した第２地点に基づいて精密探索区間を決定し、
前記映像バーのうちの第２映像探索バーに前記精密探索区間をマッチングする制御部と、を含むことを特徴とする装置。
【請求項１０】
前記制御部は、前記マルチメディアコンテンツを再生する途中に前記マルチメディアコンテンツの再生領域に対するタッチが感知される場合、前記タッチスクリーンに少なくとも２つの映像探索バーを表示するように制御することを特徴とする請求項９に記載の装置。
【請求項１１】
前記制御部は、前記マルチメディアコンテンツを再生する途中第１イベントが発生する場合、活性化された第１映像探索バーと非活性化された第２映像探索バーを前記タッチスクリーンに表示するように制御し、前記マルチメディアコンテンツを再生する途中第２イベントが発生する場合、前記第２映像探索バーを活性化することを特徴とする請求項９に記載の装置。
【請求項１２】
前記制御部は、前記タッチスクリーンを通じて、順次に、又は同一の時点に検出された前記第１タッチと前記第２タッチを確認することを特徴とする請求項９に記載の装置。
【請求項１３】
映像表示装置において、
タッチスクリーンと、
マルチメディアコンテンツを再生する途中に第１イベントが発生する場合第１映像探索バーを前記タッチスクリーンに表示し、
前記マルチメディアコンテンツを再生する途中に第２イベントが発生する場合、前記映像探索バーの内の第１映像探索バーに対する第１タッチに基づいて決定した第１地点と第２タッチに基づいて決定した第２地点に基づいて精密探索区間を決定し、
前記精密探索区間がマッチングされた第２映像探索バーを前記タッチスクリーンに表示する制御部と、を含むことを特徴とする装置。
【請求項１４】
前記制御部は、前記タッチスクリーンを通じて、順次に、又は同一の時点に検出された前記第１タッチと前記第２タッチを確認することを特徴とする請求項１３に記載の装置。
【請求項１５】
映像表示装置において、
タッチスクリーンと、
マルチメディアコンテンツを再生する途中に第１イベントが発生する場合、第１映像探索バーを前記タッチスクリーンに表示し、前記マルチメディアコンテンツを再生する途中に第２イベントが発生する場合、第１映像探索バーの長さを拡張して前記タッチスクリーンに表示する制御部と、を含むことを特徴とする請求項１３に記載の装置。
【請求項１６】
映像表示装置において、
タッチスクリーンと、
マルチメディアコンテンツを再生する途中第１イベントが発生する場合、映像探索バーを表示し、
前記映像探索バーに対するタッチが感知される場合、前記映像探索バーに対するタッチ形態を確認し、
前記映像探索バーに対するタッチ形態が上又は下ドラッグ及び円形ドラッグのうち少なくとも一つである場合、前記タッチ形態に対応する変形間隔に基づいて前記マルチメディアコンテンツの再生時点を変更し、
前記映像探索バーに対するタッチ携帯が左又は右ドラッグである場合、前記ドラッグ距離に基づいて前記マルチメディアコンテンツの再生時点を変更する制御部と、を含むことを特徴とする映像表示装置。
【発明の詳細な説明】
【技術分野】
【０００１】
本発明は映像表示装置におけるマルチメディアコンテンツ再生方法に係り、特に、映像表示装置におけるマルチメディアコンテンツの再生区間（以下、再生時点ともいう）を探索する方法、及びこれを具現する映像表示装置に関する。
【背景技術】
【０００２】
携帯用端末機は音声通話サービスだけでなく、データ伝送サービス及び多様な付加サービスを提供するマルチメディア通信機器として変貌しつつある。例えば、携帯用端末機は音声通話サービス以外にも音楽再生サービス、メッセージサービス、カメラサービス、及び動画再生サービスなどを提供している。
【０００３】
例えば動画を再生する場合、携帯用端末機は使用者が動画の再生区間を任意に選択し得るように時間探索バーを表示部に表示する。
【０００４】
携帯用端末機は表示部の大きさが制限されているので、表示部に表示する時間探索バーの長さも制限される。よって、携帯用端末では制限された長さの時間探索バーを介しては動画の再生区間を精密に変更できないという問題が発生し得る。更に、携帯用端末機では動画の再生時間が長いほど該当動画の再生区間を精密に変更できないという問題が発生する。
【先行技術文献】
【特許文献】
【０００５】
【特許文献１】大韓民国公開特許公報Ｎｏ．１０−２００９−０００１３０７
【発明の概要】
【発明が解決しようとする課題】
【０００６】
従って、本発明の目的は、携帯用端末機を含む映像表示装置におけるマルチメディアコンテンツの再生区間（時点）を検索し、動画の再生時点を精密に変更し得る方法、及びこれを具現する装置を提供することにある。
【０００７】
本発明の他の目的は、映像表示装置におけるマルチメディアコンテンツの再生区間を精密に検索できる装置及びその方法を提供することにある。
【０００８】
本発明のまた他の目的は、映像表示装置におけるマルチメディアコンテンツの再生区間を精密に検索するための使用者インターフェースを備える装置及びその方法を提供することにある。
本発明の更に他の目的は、映像表示装置において、別途の精密探索バーを利用してマルチメディアコンテンツの再生区間を探索する探索バーの一部区間を精密に検索できる装置及びその方法を提供することにある。
【０００９】
本発明の更に他の目的は、映像表示装置における特定ジェスチャによってマルチメディアコンテンツの再生区間を精密に検索できる装置及びその方法を提供することにある。
本発明の更に他の目的は、映像表示装置におけるマルチメディアコンテンツの再生区間を探索する探索バーの探索長さを拡張できる映像表示装置及びその方法を提供することにある。
【課題を解決するための手段】
【００１０】
本発明の目的を達成するための本発明の第１見地によると、映像表示装置におけるマルチメディアコンテンツ（以下、動画コンテンツともいう）の再生時点（再生区間）を検索する方法は、
動画コンテンツを再生する過程と、動画コンテンツを再生する途中少なくとも２つの映像探索バーを表示する過程と、
前記映像探索バーのうちの第１映像探索バーに対する第１タッチに基づいて、第１地点を決定し、第２タッチに基づいて第２地点を決定する過程と、
前記第１地点と前記第２地点に基づいて精密探索区間を決定する過程と、
前記映像探索バーのうちの第２映像探索バーに前記精密探索区間をマッチングする過程と、を含む。
【００１１】
本発明の第２見地によると、映像表示装置における動画コンテンツの再生時点を検索する方法は、
マルチメディアコンテンツを再生する過程と、前記マルチメディアコンテンツを再生する途中に第１イベントが発生する場合、第１映像探索バーを表示する過程と、前記マルチメディアコンテンツを再生する途中に第２イベントが発生する場合、前記第１映像探索バーに対する第１タッチに基づいて第１時点を決定し、第２タッチに基づいて第２地点を決定する過程と、前記第１地点と前記第２地点に基づいて精密探索区間を決定する過程と、前記精密探索区間がマッチングされた第２映像探索バーを表示する過程と、を含む。
【００１２】
本発明の第３見地によると、映像表示装置における動画コンテンツの再生時点を検索する方法は、
映像表示装置におけるマルチメディアコンテンツの再生時点を検索するための方法において、マルチメディアコンテンツを再生する過程と、前記マルチメディアコンテンツ再生する途中に第１イベントが発生する場合、第１映像探索バーを表示する過程と、前記マルチメディアコンテンツを再生する途中に第２イベントが発生する場合、前記第１映像探索バーの長さを拡張して表示する過程と、を含む。
【００１３】
本発明の第４見地によると、映像表示装置における動画コンテンツの再生時点を検索する方法は、
探索イベントが発生する場合、映像探索バーを表示する過程と、前記映像探索バーに対するタッチが感知される場合、前記映像探索バーに対するタッチ形態を確認する過程と、前記映像探索バーに対するタッチ形態が上又は下ドラッグ及び円形ドラッグのうち少なくとも一つである場合、前記タッチ形態に対応する変更間隔に基づいて前記マルチメディアコンテンツの再生時点を変更する過程と、前記映像探索バーに対するタッチ形態が左又は右ドラッグである場合、前記ドラッグ距離に基づいてマルチメディアコンテンツの再生時点を変更する過程と、を含む。
【００１４】
本発明の第５見地によると、映像表示装置は、
タッチスクリーンと、マルチメディアコンテンツを再生する途中、前記タッチスクリーンに少なくとも２つの映像探索バーを前記タッチスクリーンに表示し、前記映像探索バーのうちの第１映像探索バーに対する第１タッチに基づいて決定した第１地点と第２タッチに基づいて決定した第２地点に基づいて精密探索区間を決定し、前記映像バーのうちの第２映像探索バーに前記精密探索区間をマッチングする制御部と、を含む。
【００１５】
本発明の第６見地によると、映像表示装置は、
映像表示装置において、タッチスクリーンと、マルチメディアコンテンツを再生する途中に第１イベントが発生する場合第１映像探索バーを前記タッチスクリーンに表示し、前記マルチメディアコンテンツを再生する途中に第２イベントが発生する場合、前記映像探索バーの内の第１映像探索バーに対する第１タッチに基づいて決定した第１地点と第２タッチに基づいて決定した第２地点に基づいて精密探索区間を決定し、前記精密探索区間がマッチングされた第２映像探索バーを前記タッチスクリーンに表示する制御部と、を含む。
【００１６】
本発明の第７見地によると、映像表示装置は、
タッチスクリーンと、マルチメディアコンテンツを再生する途中に第１イベントが発生する場合、第１映像探索バーを前記タッチスクリーンに表示し、前記マルチメディアコンテンツを再生する途中に第２イベントが発生する場合、第１映像探索バーの長さを拡張して前記タッチスクリーンに表示する制御部と、を含む。
【００１７】
本発明の第８見地によると、映像表示装置は、
タッチスクリーンと、マルチメディアコンテンツを再生する途中第１イベントが発生する場合、映像探索バーを表示し、前記映像探索バーに対するタッチが感知される場合、前記映像探索バーに対するタッチ形態を確認し、前記映像探索バーに対するタッチ形態が上又は下ドラッグ及び円形ドラッグのうち少なくとも一つである場合、前記タッチ形態に対応する変形間隔に基づいて前記マルチメディアコンテンツの再生時点を変更し、前記映像探索バーに対するタッチ携帯が左又は右ドラッグである場合、前記ドラッグ距離に基づいて前記マルチメディアコンテンツの再生時点を変更する制御部と、を含む。
【発明の効果】
【００１８】
２つの映像探索バー及び／又はタッチ（ジェスチャ）によってマルチメディアコンテンツの再生区間（時点）を精密に検索することが可能となる。
【図面の簡単な説明】
【００１９】
【図１】本発明による映像表示装置のブロック構成を示す図である。
【図２】本発明の実施例による映像表示装置における精密探索バーを利用して動画の再生時点を検索するための手順を示す図である。
【００２０】
【図３】（ａ）（ｂ）（ｃ）（ｄ）は、本発明の第１実施例による精密探索バーを活性化するための画面構成を順次示す図である。
【図４】（ａ）（ｂ）（ｃ）（ｄ）は、本発明の第２実施例による精密探索バーを活性化するための画面構成を順次示す図である。
【図５】（ａ）（ｂ）（ｃ）（ｄ）は、本発明の第３実施例による精密探索バーを活性化するための画面構成を順次示す図である。
【図６】（ａ）（ｂ）（ｃ）（ｄ）は、本発明の第４実施例による精密探索バーを活性化するための画面構成を示す図である。
【００２１】
【図７】（ａ）（ｂ）（ｃ）（ｄ）は、本発明の第１実施例による精密探索バーを表示するための画面構成を順次示す図である。
【図８】（ａ）（ｂ）（ｃ）（ｄ）は、本発明の第２実施例による精密探索バーを表示するための画面構成を順次示す図である。
【図９】（ａ）（ｂ）（ｃ）（ｄ）は、本発明の第３実施例による精密探索バーを表示するための画面構成を示す図である。
【図１０】（ａ）（ｂ）（ｃ）（ｄ）は、本発明の第４実施例による精密探索バーを表示するための画面構成を順次示す図である。
【００２２】
【図１１】（ａ）（ｂ）（ｃ）（ｄ）は、本発明の第１実施例による探索バーの探索長さを拡張するための画面構成を順次示す図である。
【図１２】（ａ）（ｂ）（ｃ）（ｄ）は、本発明の第２実施例による探索バーの探索長さを拡張するための画面構成を順次示す図である。
【図１３】（ａ）（ｂ）（ｃ）（ｄ）は、本発明の第３実施例による探索バーの探索長さを拡張するための画面構成を順次示す図である。
【図１４】（ａ）（ｂ）（ｃ）（ｄ）は、本発明の第４実施例による探索バーの探索長さを拡張するための画面構成を順次示す図である。
【００２３】
【図１５】本発明の実施例による映像表示装置におけるジェスチャの種類によって動画の再生時点を検索するための手順を示す図である。
【図１６】（ａ）（ｂ）（ｃ）は、本発明の実施例によるジェスチャの種類によって動画の再生時点を検索するための画面構成を順次示す図である。
【図１７】本発明の実施例による映像表示装置における探索バーの探索長さを拡張するための手順を示す図である。
【図１８】（ａ）（ｂ）（ｃ）は、本発明の第５実施例による探索バーの探索長さを拡張するための画面構成を順次示す図である。
【発明を実施するための形態】
【００２４】
以下、本発明の好ましい実施例を添付した図面を参照して詳細に説明する。そして、本発明を説明するに当たって、関連する公知機能或いは構成についての詳細な説明が本発明の要旨を却って不明確にする恐れがあると判断される場合、その詳細な説明を省略する。そして、以下の説明における用語は本発明における機能を考慮して定義された用語であり、これは使用者、運用者の意図又は慣例などによって異なり得る。従って、その定義は本明細書全般にかかる内容に基づいて決められるべきである。
【００２５】
以下、本発明は映像表示装置におけるマルチメディアコンテンツの再生時点（以下、再生区間ともいう）を検索するための技術について説明する。
【００２６】
以下の説明において、映像表示装置はマルチメディアコンテンツを再生し得る移動通信端末機、ＰＤＡ、ラップトップコンピュータ、デスクトップコンピュータ、スマートフォン、ネットブック、携帯インターネット装置（ＭＩＤ）、ウルトラモバイルＰＣ（ＵＭＰＣ）、タブレットＰＣ、ナビゲーション、ＭＰ３及びスマートＴＶなどの電子装置を含む。また、マルチメディアコンテンツの具体例として動画の場合について説明したが、これに限られず、音声（音楽）、テキスト、静止画のチェイン、或いはこれらの複合物の場合も同様に扱えることはいうまでもない。
【００２７】
図１は、本発明による映像表示装置のブロック構成を示す図である。
図１に示したように、前記映像表示装置は制御部１００、表示部１１０、入力部１２０、貯蔵部１３０及びオーディオ処理部１４０を含む。
【００２８】
制御部１００は、映像表示装置の全体的な動作制御を行う。
制御部１００は、マルチメディアコンテンツの再生を制御する。この際、制御部１００は探索イベントが発生する場合、後述する図３（ａ）に示したように表示部１１０の映像探索領域３２０に映像探索バー３２１を表示する。例えば、制御部１００はマルチメディアコンテンツを再生する途中でタッチが感知される場合、映像探索バーを表示する。
【００２９】
また、制御部１００はマルチメディアコンテンツの再生時点を精密に検索するための精密探索バーを表示し、マルチメディアコンテンツの精密検索サービスを提供する。
例えば、制御部１００は図３（ａ）乃至（ｄ）、図４（ａ）乃至（ｄ）、図５（ａ）乃至（ｄ）、及び図６（ａ）乃至（ｄ）に示したように映像探索領域に対するタッチ情報を考慮して、精密探索バー３２３、４２３、５２３、６２３を活性化する。
他の例として、制御部１００は図７（ａ）乃至（ｄ）、図８（ａ）乃至（ｄ）、図９（ａ）乃至（ｄ）、及び図１０（ａ）乃至（ｄ）に示したように映像探索領域に対するタッチ情報を考慮して、精密探索バー７２５、８２５、９２５、１０２５を表示する。
更に他の例として、制御部１００は図１１（ａ）乃至（ｄ）、図１２（ａ）乃至（ｄ）、図１３（ａ）乃至（ｄ）、図１４（ａ）乃至（ｄ）、及び図１８（ａ）乃至（ｃ）に示したように映像探索領域に対するタッチ情報を考慮して、その長さが拡張された精密探索バー１１２５、１２２５、１３２５、１４２５及び、その長さが拡張された映像探索バー１８２３を表示する。
これらの詳細は以下に順次説明する。
【００３０】
表示部１１０はタッチスクリーンで構成され、映像表示装置と使用者間の出力インターフェースと入力インターフェースを提供する。例えば、表示部１１０は、制御部１１０の制御によって映像表示装置の状態情報、使用者が入力する文字、動画及び画像などを表示する。他の例として、表示部１１０はタッチ感知面に対する使用者のタッチ情報を認識して制御部１００に提供する。
【００３１】
入力部１２０は、使用者の選択によって発生する入力データを制御部１００に提供する。例えば、入力部１２０は映像表示装置の制御のための制御ボタンのみを含んで構成される。他の例として、入力部１２０は使用者から入力データを提供されるためのキーパッドで構成される。
【００３２】
貯蔵部１３０は、映像表示装置の動作を制御するためのプログラムを貯蔵するプログラム貯蔵部及びプログラムを実行する途中に発生するデータを貯蔵するデータ貯蔵部で構成される。例えば、貯蔵部１３０はマルチメディアコンテンツの再生及びマルチメディアコンテンツの再生時点を検索するためのプログラムを貯蔵する。この場合、制御部１００は貯蔵部１３０に貯蔵されたプログラムを実行してマルチメディアコンテンツを再生し、前記マルチメディアコンテンツの再生時点を検索するように制御する。
【００３３】
オーディオ処理部１４０は、オーディオ信号の入出力を制御する。例えば、オーディオ処理部１４０は制御部から提供されたオーディオ信号を、スピーカを介して外部に送出し、マイクから提供されたオーディオ信号を制御部１００に提供する。
【００３４】
追加的に、映像表示装置はアンテナを介して送受信される信号を処理する通信部１５０を更に含み得る。例えば、前記通信部１５０はアンテナモジュール、ＲＦ処理機、増幅器、チューナー、オシレータ、デジタル信号処理機、コーデックなどを含む。しかし、通信部１５０はこれに限らず、上述したモジュールの機能を行う回路を含み得る。
【００３５】
上述した実施例において、制御部１００は精密探索バーを利用してマルチメディアコンテンツに対する精密検索サービスを提供する。
【００３６】
他の実施例において、制御部１００は図１６（ａ）乃至図１６（ｃ）に示したように映像探索バーでマルチメディアコンテンツの再生時点を検索するためのドラッグの方向によってマルチメディアコンテンツの再生時点を精密に検索する。
【００３７】
図２は、本発明の実施例による映像表示装置における精密探索バーを利用して動画の再生時点を検索するための手順を示す図である。
図２を参照すると、映像表示装置はステップ２０１で動画コンテンツを再生するか否かを確認する。例えば、映像表示装置は使用者の操作によって再生するべき動画コンテンツが選択されたか否かを確認する。
【００３８】
動画コンテンツを再生しない場合、映像表示装置は本アルゴリズムを終了する。
一方、動画コンテンツを再生する場合、映像表示装置はステップ２０３に進行して該当動画コンテンツに対する再生画面を表示する。この際、映像表示装置は探索イベントによって図３（ａ）に示したように再生中の動画コンテンツと共に映像探索バー３２１を画面に表示する。
【００３９】
次に、映像表示装置はステップ２０５に進行し、精密探索イベントが発生するか否かを確認する。例えば、映像表示装置は図３（ａ）に示したように映像探索領域３２０で映像探索バー３２１を除いた部分に対するタッチが感知されるか否かを確認する。他の例として、映像表示装置は図３（ａ）に示した映像探索領域３２０で映像探索バー３２１を除いた部分に対するタッチが基準時間以上維持されるのかを確認する。
【００４０】
精密探索イベントが発生しない場合、映像表示装置は本アルゴリズムを終了する。
もし、映像探索領域３２０に含まれた映像探索バー３２１に対するドラッグ情報が感知される場合、映像表示装置は映像探索バー３２１に対するドラッグ情報を考慮して動画コンテンツの再生時点を変更してもよい。
【００４１】
一方、精密探索イベントが発生した場合、映像表示装置はステップ２０７に進行し、映像探索領域に対するタッチ情報を考慮して精密検索するための精密探索区間を確認する。この際、映像表示装置は映像探索バーを非活性化してもよい。
【００４２】
次に、映像表示装置はステップ２０９に進行し、精密探索バーを活性化する。例えば、映像表示装置は図３（ａ）乃至（ｄ）、図４（ａ）乃至（ｄ）、図５（ａ）乃至（ｄ）、及び図６（ａ）乃至（ｄ）に示したように、非活性状態である精密探索バー３２３、４２３、５２３、６２３を活性化する。
他の例として、映像表示装置は図７（ａ）乃至（ｄ）、図８（ａ）乃至（ｄ）、図９（ａ）乃至（ｄ）、及び図１０（ａ）乃至（ｄ）に示したように、精密探索バー７２５、８２５、９２５、１０２５を追加に表示する。
更に他の例として、映像表示装置は図１１（ａ）乃至（ｄ）、図１２（ａ）乃至（ｄ）、図１３（ａ）乃至（ｄ）、図１４（ａ）乃至（ｄ）、及び図１８（ａ）乃至図１８（ｃ）に示したように、その長さが拡張された精密探索バー１１２５、１２２５、１３２５、１４２５、及び、その長さが拡張された映像探索バー１８２３を表示する。
【００４３】
精密探索バーを活性化した後、映像表示装置はステップ２１１に進行し、精密探索区間を精密探索バーにマッチングする。
次に、映像表示装置はステップ２１３に進行し、精密探索バーに対するタッチが感知されるか否かを確認する。
【００４４】
精密探索バーに対するタッチが感知される場合、映像表示装置はステップ２１５に進行し、精密探索バーに対するタッチ情報を考慮して動画コンテンツの再生地点を変更する。例えば、精密探索バーに対するドラッグ情報が感知される場合、映像表示装置はドラッグ方向及び距離によって動画コンテンツの再生地点を変更する。他の例として、精密探索バーの任意の地点がタッチされる場合、映像表示装置は精密探索バーのタッチ地点を考慮して動画コンテンツの再生地点を変更してもよい。
【００４５】
次に、映像表示装置は本アルゴリズムを終了する。
上述したように、映像表示装置は映像探索バーの一部区間がマッチングされた精密探索バーを利用して動画コンテンツの再生時点を精密に検索する。この際、映像表示装置は精密探索区間の長さが精密探索バーの長さより短いほど精密探索区間に含まれる動画コンテンツの再生時点を精密に検索し得る利点がある。
【００４６】
以下、映像表示装置における精密探索バーを利用して動画の再生時点を検索するための画面構成について説明する。
図３（ａ）乃至図３（ｄ）は、本発明の第１実施例による精密探索バーを活性化するための画面構成を順次示す図である。
【００４７】
映像表示装置で動画コンテンツを再生する場合、映像表示装置は図３（ａ）に示したように動画コンテンツの再生画面３００を表示部１１０に表示する。この際、探索イベントが発生する場合、映像表示装置は図３（ａ）に示したように映像情報領域３１０及び映像探索領域３２０を表示部１１０に表示する。ここで、映像探索領域３２０は映像探索バー３２１、精密探索バー３２３及び映像探索ボタン３２５を含む。この際、精密探索バー３２３は非活性状態を維持する。
【００４８】
精密検索イベントが発生する場合、映像表示装置は図３（ｂ）に示したように映像探索バー３２１のドラッグ情報を考慮して第１地点３３０及び第２地点３４０により画定された精密探索区間［３３０〜３４０］を決定する。詳しくは、映像表示装置は映像探索バー３２１の左端から発生するドラッグ情報に従って第１地点３３０を設定し、映像探索バー３２１の右端から発生するドラッグ情報に従って第２地点３４０を設定する。この際、映像表示装置は第１地点３３０と第２地点３４０を考慮して精密探索区間［３３０〜３４０］を設定する。
【００４９】
精密探索区間３３０〜３４０を確認した後、映像表示装置は図３（ｄ）に示したように精密探索バー３２３を活性化して精密探索区間［３３０〜３４０］と精密探索バー３２３をマッチングする。その後、映像表示装置は精密探索バー３２３のタッチ情報を考慮して精密探索区間［３３０〜３４０］に含まれる動画コンテンツの再生時点を検索し得る。
【００５０】
上述したように、映像表示装置は映像探索バー３２１に対するドラッグ情報に従って精密探索区間［３３０〜３４０］を設定する。この際、映像表示装置は図３（ｃ）に示したように映像探索バー３２１の精密探索区間［３３０〜３４０］に対するタッチ情報を考慮して精密探索区間［３３０〜３４０］の位置を変更してもよい。例えば、映像表示装置は映像探索バー３２１で精密探索区間［３３０〜３４０］に対するタッチが基準時間以上維持される場合、精密探索区間移動モードを活性化する。その後、映像表示装置は精密探索区間［３３０〜３４０］に対するドラッグ情報を考慮して精密探索区間［３３０〜３４０］の位置を、図３（ｄ）に示すように左に、又は右に変更する。
【００５１】
図４（ａ）乃至図４（ｄ）は、本発明の第２実施例による精密探索バーを活性化するための画面構成を順次示す図である。
映像表示装置で動画コンテンツを再生する場合、映像表示装置は図４（ａ）に示したように動画コンテンツの再生画面４００を表示部１１０に表示する。この際、探索イベントが発生する場合、映像表示装置は図４（ａ）に示したように映像情報領域４１０及び映像探索領域４２０を表示部１１０に表示する。ここで、映像探索領域４２０は映像探索バー４２１、精密探索バー４２３及び映像探索ボタン４２５を含む。ここで、精密探索バー４２３は非活性状態を維持する。
【００５２】
精密検索イベントが発生する場合、映像表示装置は図４（ｂ）に示したように映像探索バー４２１のドラッグ情報を考慮して精密探索区間［４３０〜４４０］を決定する。詳しくは、映像表示装置は映像探索バー４２１の基準地点から左側に発生するドラッグ情報に従って第１地点４３０を設定し、映像探索バー４２１の基準地点から右側に発生するドラッグ情報に従って第２地点４４０を設定する。この際、映像表示装置は第１地点４３０と第２地点４４０を考慮して精密探索区間［４３０〜４４０］を設定する。ここで、基準地点は映像探索バー４２１で精密探索区間を設定するための少なくとも一つの使用者の最初タッチ地点を示す。
【００５３】
精密探索区間［４３０〜４４０］を確認した後、映像表示装置は図４（ｄ）に示したように精密探索バー４２３を活性化して精密探索区間［４３０〜４４０］と精密探索バー４２３をマッチングする。その後、映像表示装置は精密探索バー４２３のタッチ情報を考慮して精密探索区間［４３０〜４４０］に含まれる動画コンテンツの再生時点を検索し得る。
【００５４】
上述したように、映像表示装置は映像探索バー４２１に対するドラッグ情報に従って映像探索区間［４３０〜４４０］を設定する。この際、映像表示装置は図４（ｃ）に示したように映像探索バー４２１の精密探索区間［４３０〜４４０］に対するタッチ情報を考慮して精密探索区間［４３０〜４４０］の位置を変更し得る。例えば、映像表示装置は映像探索バー４２１で精密探索区間［４３０〜４４０］に対するタッチが基準時間以上維持される場合、精密探索区間移動モードを活性化する。その後、映像表示装置は精密探索区間［４３０〜４４０］に対するドラッグ情報に従って精密探索区間［４３０〜４４０］の位置を左に、又は右に変更する。
【００５５】
図５（ａ）乃至図５（ｄ）は、本発明の第３実施例による精密探索バーを活性化するための画面構成を順次示す図である。
映像表示装置で動画コンテンツを再生する場合、映像表示装置は図５（ａ）に示したように動画コンテンツの再生画面５００を表示部１１０に表示する。この際、探索イベントが発生する場合、映像表示装置は図５（ａ）に示したように映像情報領域５１０及び映像探索領域５２０を表示部１１０に表示する。ここで、映像探索領域５２０は映像探索バー５２１、精密探索バー５２３及び映像探索ボタン５２５を含む。ここで、精密探索バー５２３は非活性状態を維持する。
【００５６】
精密検索イベントが発生する場合、映像表示装置は図５（ｂ）に示したように映像探索バー５２１のマルチタッチ情報を考慮して精密探索区間［５３０〜５４０］を決定する。詳しくは、映像表示装置は映像探索バー５２１のタッチ地点である第１地点５３０と第２地点５４０を考慮して精密探索区間［５３０〜５４０］を設定する。
【００５７】
精密探索区間［５３０〜５４０］を確認した後、映像表示装置は図５（ｄ）に示したように精密探索バー５２３を活性化して精密探索区間［５３０〜５４０］と精密探索バー５２３をマッチングする。その後、映像表示装置は精密探索バー５２３のタッチ情報を考慮して精密探索区間［５３０〜５４０］に含まれる動画コンテンツの再生時点を検索し得る。
【００５８】
上述したように、映像表示装置は映像探索バー５２１に対するマルチタッチ情報に従って映像探索区間［５３０〜５４０］を設定する。この際、映像表示装置は図５（ｃ）に示したように映像探索バー５２１の精密探索区間［５３０〜５４０］に対するタッチ情報を考慮して精密探索区間［５３０〜５４０］の位置を変更し得る。例えば、映像表示装置は映像探索バー５２１の精密探索区間［５３０〜５４０］に対するタッチが基準時間以上維持される場合、精密探索区間移動モードを活性化する。その後、映像表示装置は精密探索区間［５３０〜５４０］に対するドラッグ情報に従って精密探索区間［５３０〜５４０］の位置を左に、又は右に変更する。
【００５９】
図６（ａ）乃至図６（ｄ）は、本発明の第４実施例による精密探索バーを活性化するための画面構成を示す図である。
映像表示装置で動画コンテンツを再生する場合、映像表示装置は図６（ａ）に示したように動画コンテンツの再生画面６００を表示部１１０に表示する。この際、探索イベントが発生する場合、映像表示装置は図６（ａ）に示したように映像情報領域６１０及び映像探索領域６２０を表示部１１０に表示する。ここで、映像探索領域６２０は映像探索バー６２１、精密探索バー６２３及び映像探索ボタン６２５を含む。ここで、精密探索バー６２３は非活性状態を維持する。
【００６０】
精密検索イベントが発生する場合、映像表示装置は図６（ｂ）及び図６（ｃ）に示したように映像探索バー６２１のタッチ情報を考慮して精密探索区間［６３０〜６４０］を決定する。詳しくは、映像表示装置は図６（ｂ）に示したように映像探索バー６２１の第１タッチ地点６３０と図６（ｃ）に示した映像探索バー６２１の第２地点６４０を考慮して精密探索区間［６３０〜６４０］を設定する。
【００６１】
精密探索区間６３０〜６４０を確認した後、映像表示装置は図６（ｄ）に示したように精密探索バー６２３を活性化して精密探索区間［６３０〜６４０］と精密探索バー６２３をマッチングする。その後、映像表示装置は精密探索バー６２３のタッチ情報を考慮して精密探索区間［６３０〜６４０］に含まれる動画コンテンツの再生時点を検索し得る。
【００６２】
上述したように、映像表示装置は映像探索バー６２１に対する複数回感知したタッチ情報を考慮して映像探索区間［６３０〜６４０］を設定する。この際、映像表示装置は映像探索バー６２１の精密探索区間［６３０〜６４０］に対するタッチ情報を考慮して精密探索区間［６３０〜６４０］の位置を変更し得る。例えば、映像表示装置は映像探索バー６２１の精密探索区間［６３０〜６４０］に対するタッチが基準時間以上維持される場合、精密探索区間移動モードを活性化する。その後、映像表示装置は精密探索区間［６３０〜６４０］に対するドラッグ情報を考慮して精密探索区間［６３０〜６４０］の位置を左に、又は右に変更する。
【００６３】
上述した図３（ａ）乃至（ｄ）、図４（ａ）乃至（ｄ）、図５（ａ）乃至（ｄ）、及び図６（ａ）乃至（ｄ）において、映像表示装置は精密探索バー３２３、４２３、５２３、６２３を活性化した後、精密探索区間［３３０〜３４０］、［４３０〜４４０］、［５３０〜５４０］、［６３０〜６４０］を、精密探索バー３２３、４２３、５２３、６２３にマッチングする。
【００６４】
他の実施例として、映像表示装置は精密探索区間［３３０〜３４０］、［４３０〜４４０］、［５３０〜５４０］、［６３０〜６４０］を精密探索バー３２３、４２３、５２３、６２３にマッチングした後に、精密探索バー３２３、４２３、５２３、６２３を活性化する。
【００６５】
上述した実施例において、映像表示装置は探索イベントが発生する場合、映像探索バー３２１、４２１、５２１、６２１と精密探索バー３２３、４２３、５２３、６２３を含む映像探索領域３２０、４２０、５２０、６２０を表示部１１０に表示する。
【００６６】
他の例として、映像表示装置は下記図７（ａ）乃至（ｄ）、図８（ａ）乃至（ｄ）、図９（ａ）乃至（ｄ）、及び図１０（ａ）乃至（ｄ）に示したように精密探索領域を確認した後、精密探索バーを表示部１１０に表示する。
【００６７】
図７（ａ）乃至図７（ｄ）は、本発明の第１実施例による精密探索バーを表示するための画面構成を順次示す図である。
映像表示装置で動画コンテンツを再生する場合、映像表示装置は図７（ａ）に示したように動画コンテンツの再生画面７００を表示部１１０に表示する。この際、探索イベントが発生する場合、映像表示装置は図７（ａ）に示したように映像情報領域７１０及び映像探索領域７２０を表示部１１０に表示する。ここで、映像探索領域７２０は映像探索バー７２１及び映像探索ボタン７２３を含む。
【００６８】
精密検索イベントが発生する場合、映像表示装置は図７（ｂ）に示したように映像探索バー７２１のドラッグ情報を考慮して精密探索区間［７３０〜７４０］を決定する。詳しくは、映像表示装置は映像探索バー７２１の左端から発生するドラッグ情報に従って第１地点７３０を設定し、映像探索バー７２１の右端から発生するドラッグ情報に従って第２地点７４０を設定する。この際、映像表示装置は第１地点７３０と第２地点７４０を考慮して精密探索区間［７３０〜７４０］を設定する。
【００６９】
精密探索区間［７３０〜７４０］を確認した後、映像表示装置は図７（ｄ）に示したように精密探索区間［７３０〜７４０］にマッチングされた精密探索バー７２５を表示部１１０に表示する。その後、映像表示装置は精密探索バー７２５のタッチ情報を考慮して精密探索区間［７３０〜７４０］に含まれる動画コンテンツの再生時点を検索し得る。
【００７０】
上述したように、映像表示装置は映像探索バー７２１に対するドラッグ情報に従って映像探索区間［７３０〜７４０］を設定する。この際、映像表示装置は図７（ｃ）に示したように映像探索バー７２１の精密探索区間［７３０〜７４０］に対するタッチ情報を考慮して精密探索区間［７３０〜７４０］の位置を変更し得る。例えば、映像表示装置は映像探索バー７２１の精密探索区間［７３０〜７４０］に対するタッチが基準時間以上維持される場合、精密探索区間移動モードを活性化する。その後、映像表示装置は精密探索区間［７３０〜７４０］に対するドラッグ情報を考慮して精密探索区間［７３０〜７４０］の位置を左に、又は右に変更する。
【００７１】
図８（ａ）乃至図８（ｄ）は、本発明の第２実施例による精密探索バーを表示するための画面構成を示す図である。
映像表示装置で動画コンテンツを再生する場合、映像表示装置は図８（ａ）に示したように動画コンテンツの再生画面８００を表示部１１０に表示する。この際、探索イベントが発生する場合、映像表示装置は図８（ａ）に示したように映像情報領域８１０及び映像探索領域８２０を表示部１１０に表示する。ここで、映像探索領域８２０は映像探索バー８２１及び映像探索ボタン８２３を含む。
【００７２】
精密検索イベントが発生する場合、映像表示装置は図８（ｂ）に示したように映像探索バー８２１のドラッグ情報を考慮して精密探索区間［８３０〜８４０］を決定する。詳しくは、映像表示装置は映像探索バー８２１の基準地点から左側に発生するドラッグ情報に従って第１地点８３０を設定し、映像探索バー８２１の基準地点から右側に発生するドラッグ情報に従って第２地点８４０を設定する。この際、映像表示装置は第１地点８３０と第２地点８４０を考慮して精密探索区間［８３０〜８４０］を設定する。ここで、基準地点は映像探索バー８２１で精密探索区間を設定するための少なくとも一つの使用者の最初タッチ地点を示す。
【００７３】
精密探索区間［８３０〜８４０］を確認した後、映像表示装置は図８（ｄ）に示したように精密探索区間［８３０〜８４０］にマッチングされた精密探索バー８２５を表示部１１０に表示する。その後、映像表示装置は精密探索バー８２５のタッチ情報を考慮して精密探索区間［８３０〜８４０］に含まれる動画コンテンツの再生時点を検索し得る。
【００７４】
上述したように、映像表示装置は映像探索バー８２１に対するドラッグ情報を考慮して映像探索区間［８３０〜８４０］を設定する。この際、映像表示装置は図８（ｃ）に示したように映像探索バー８２１の精密探索区間［８３０〜８４０］に対するタッチ情報を考慮して精密探索区間［８３０〜８４０］の位置を変更し得る。例えば、映像表示装置は映像探索バー８２１の精密探索区間［８３０〜８４０］に対するタッチが基準時間以上維持される場合、精密探索区間移動モードを活性化する。その後、映像表示装置は精密探索区間［８３０〜８４０］に対するドラッグ情報に従って精密探索区間［８３０〜８４０］の位置を左に、又は右に変更する。
【００７５】
図９（ａ）乃至図９（ｄ）は、本発明の第３実施例による精密探索バーを表示するための画面構成を順次示す図である。
映像表示装置で動画コンテンツを再生する場合、映像表示装置は図９（ａ）に示したように動画コンテンツの再生画面９００を表示部１１０に表示する。この際、探索イベントが発生する場合、映像表示装置は図９（ａ）に示したように映像情報領域９１０及び映像探索領域９２０を表示部１１０に表示する。ここで、映像探索領域９２０は映像探索バー９２１及び映像探索ボタン９２３を含む。
【００７６】
精密検索イベントが発生する場合、映像表示装置は図９（ｂ）に示したように映像探索バー９２１のマルチタッチ情報を考慮して精密探索区間［９３０〜９４０］を決定する。詳しくは、映像表示装置は映像探索バー９２１のマルチタッチ地点である第１地点９３０と第２地点９４０を考慮して精密探索区間［９３０〜９４０］を設定する。
【００７７】
精密探索区間［９３０〜９４０］を確認した後、映像表示装置は図９（ｄ）に示したように精密探索区間［９３０〜９４０］がマッチングされた精密探索バー９２５を表示部１１０に表示する。その後、映像表示装置は精密探索バー９２５のタッチ情報を考慮して精密探索区間［９３０〜９４０］に含まれる動画コンテンツの再生時点を検索し得る。
【００７８】
上述したように、映像表示装置は映像探索バー９２１に対するマルチタッチ情報を考慮して映像探索区間［９３０〜９４０］を設定する。この際、映像表示装置は図９（ｃ）に示したように映像探索バー９２１の精密探索区間［９３０〜９４０］に対するタッチ情報を考慮して精密探索区間［９３０〜９４０］の位置を変更し得る。例えば、映像表示装置は映像探索バー９２１の精密探索区間［９３０〜９４０］に対するタッチが基準時間以上維持される場合、精密探索区間移動モードを活性化する。その後、映像表示装置は精密探索区間［９３０〜９４０］に対するドラッグ情報に従って精密探索区間［９３０〜９４０］の位置を左に、又は右に変更する。
【００７９】
図１０（ａ）乃至図１０（ｄ）は、本発明の第４実施例による精密探索バーを表示するための画面構成を順次示す図である。
映像表示装置で動画コンテンツを再生する場合、映像表示装置は図１０（ａ）に示したように動画コンテンツの再生画面１０００を表示部１１０に表示する。この際、探索イベントが発生する場合、映像表示装置は図１０（ａ）に示したように映像情報領域１０１０及び映像探索領域１０２０を表示部１１０に表示する。ここで、映像探索領域１０２０は映像探索バー１０２１及び映像探索ボタン１０２３を含む。
【００８０】
精密検索イベントが発生する場合、映像表示装置は図１０（ｂ）及び図１０（ｃ）に示したように映像探索バー１０２１のタッチ情報を考慮して精密探索区間１０３０〜１０４０を決定する。詳しくは、映像表示装置は図１０（ｂ）に示したように映像探索バー１０２１の第１タッチ地点１０３０と図１０（ｃ）に示した映像探索バー１０２１の第２地点１０４０を考慮して精密探索区間［１０３０〜１０４０］を設定する。
【００８１】
精密探索区間１０３０〜１０４０を確認した後、映像表示装置は図１０（ｄ）に示したように精密探索区間［１０３０〜１０４０］がマッチングされた精密探索バー１０２５を表示部１１０に表示する。その後、映像表示装置は精密探索バー１０２５のタッチ情報を考慮して精密探索区間［１０３０〜１０４０］に含まれる動画コンテンツの再生時点を検索し得る。
【００８２】
上述したように、映像表示装置は映像探索バー１０２１に対する複数回のタッチ情報を考慮して映像探索区間［１０３０〜１０４０］を設定する。この際、映像表示装置は映像探索バー１０２１の精密探索区間［１０３０〜１０４０］に対するタッチ情報を考慮して精密探索区間［１０３０〜１０４０］の位置を変更し得る。例えば、映像表示装置は映像探索バー１０２１の精密探索区間［１０３０〜１０４０］に対するタッチが基準時間以上維持される場合、精密探索区間移動モードを活性化する。その後、映像表示装置は精密探索区間［１０３０〜１０４０］に対するドラッグ情報に従って精密探索区間［１０３０〜１０４０］の位置を左に、又は右に変更する。
【００８３】
上述した実施例において、映像表示装置は精密探索領域を確認した後、精密探索バーを表示部１１０に表示する。
他の例として、映像表示装置は下記の図１１（ａ）乃至（ｄ）、図１２（ａ）乃至（ｄ）、図１３（ａ）乃至（ｄ）、図１４（ａ）乃至（ｄ）に示したように、精密探索領域を確認した後、精密探索領域の探索長さを拡張する。
【００８４】
図１１（ａ）乃至図１１（ｄ）は、本発明の第１実施例による探索バーの探索長さを拡張するための画面構成を順次示す図である。
映像表示装置で動画コンテンツを再生する場合、映像表示装置は図１１（ａ）に示したように動画コンテンツの再生画面１１００を表示部１１０に表示する。この際、探索イベントが発生する場合、映像表示装置は図１１（ａ）に示したように映像情報領域１１１０及び映像探索領域１１２０を表示部１１０に表示する。ここで、映像探索領域１１２０は映像探索バー１１２１及び映像探索ボタン１１２３を含む。
【００８５】
精密検索イベントが発生する場合、映像表示装置は図１１（ｂ）に示したように映像探索バー１１２１のドラッグ情報を考慮して精密探索区間［１１３０〜１１４０］を決定する。詳しくは、映像表示装置は映像探索バー１１２１の左端から発生するドラッグ情報に従って第１地点１１３０を設定し、映像探索バー１１２１の右端から発生するドラッグ情報に従って第２地点１１４０を設定する。この際、映像表示装置は第１地点１１３０と第２地点１１４０を考慮して精密探索区間［１１３０〜１１４０］を設定する。
【００８６】
精密探索区間［１１３０〜１１４０］を確認した後、映像表示装置は図１１（ｄ）に示したように精密探索区間［１１３０〜１１４０］にマッチングされた精密探索バー１１２５を映像探索領域１１２０に表示する。その後、映像表示装置は精密探索バー１１２５のタッチ情報を考慮して精密探索区間［１１３０〜１１４０］に含まれる動画コンテンツの再生時点を検索し得る。ここで、精密探索バー１１２５は、精密探索区間［１１３０〜１１４０］を精密検索できるように、映像探索バー１１２１の内の精密探索区間［１１３０〜１１４０］に対応する部分の長さが例えば図示したように蛇行により拡張された形で表示される。
【００８７】
上述したように、映像表示装置は映像探索バー１１２１に対するドラッグ情報に従って映像探索区間［１１３０〜１１４０］を設定する。この際、映像表示装置は図１１（ｃ）に示したように映像探索バー１１２１の精密探索区間［１１３０〜１１４０］に対するタッチ情報を考慮して精密探索区間［１１３０〜１１４０］の位置を変更し得る。例えば、映像表示装置は映像探索バー１１２１の精密探索区間［１１３０〜１１４０］に対するタッチが基準時間以上維持される場合、精密探索区間移動モードを活性化する。その後、映像表示装置は精密探索区間［１１３０〜１１４０］に対するドラッグ情報を考慮して精密探索区間［１１３０〜１１４０］の位置を左に、又は右に変更する。
【００８８】
図１２（ａ）乃至図１２（ｄ）は、本発明の第２実施例による探索バーの探索長さを拡張するための画面構成を順次示す図である。
映像表示装置で動画コンテンツを再生する場合、映像表示装置は図１２（ａ）に示したように動画コンテンツの再生画面１２００を表示部１１０に表示する。この際、探索イベントが発生する場合、映像表示装置は図１２（ａ）に示したように映像情報領域１２１０及び映像探索領域１２２０を表示部１１０に表示する。ここで、映像探索領域１２２０は映像探索バー１２２１及び映像探索ボタン１２２３を含む。
【００８９】
精密検索イベントが発生する場合、映像表示装置は図１２（ｂ）に示したように映像探索バー１２２１のドラッグ情報を考慮して精密探索区間［１２３０〜１２４０］を決定する。詳しくは、映像表示装置は映像探索バー１２２１の基準地点から左側に発生するドラッグ情報に従って第１地点１２３０を設定し、映像探索バー１２２１の基準地点から右側に発生するドラッグ情報に従って第２地点１２４０を設定する。この際、映像表示装置は第１地点１２３０と第２地点１２４０を考慮して精密探索区間［１２３０〜１２４０］を設定する。ここで、基準地点は映像探索バー１２２１で精密探索区間を設定するための少なくとも一つの使用者の最初タッチ地点を示す。
【００９０】
精密探索区間［１２３０〜１２４０］を確認した後、映像表示装置は図１２（ｄ）に示したように精密探索区間［１２３０〜１２４０］がマッチングされた精密探索バー１２２５を映像探索領域１２２０に表示する。その後、映像表示装置は精密探索バー１２２５のタッチ情報を考慮して精密探索区間［１２３０〜１２４０］に含まれる動画コンテンツの再生時点を検索し得る。ここで、精密探索バー１２２５は精密探索区間［１２３０〜１２４０］を精密検索できるように、映像探索バー１２２１の内の精密探索区間［１２３０〜１２４０］に対応する部分の長さが例えば図示したように蛇行により拡張された形で表示される。
【００９１】
上述したように、映像表示装置は映像探索バー１２２１に対するドラッグ情報を考慮して映像探索区間［１２３０〜１２４０］を設定する。この際、映像表示装置は図１２（ｃ）に示したように映像探索バー１２２１の精密探索区間［１２３０〜１２４０］に対するタッチ情報を考慮して精密探索区間［１２３０〜１２４０］の位置を変更し得る。例えば、映像表示装置は映像探索バー１２２１の精密探索区間［１２３０〜１２４０］に対するタッチが基準時間以上維持される場合、精密探索区間移動モードを活性化する。その後、映像表示装置は精密探索区間［１２３０〜１２４０］のドラッグ情報を考慮して精密探索区間［１２３０〜１２４０］の位置を左に、又は右に変更する。
【００９２】
図１３（ａ）乃至図１３（ｄ）は、本発明の第３実施例による探索バーの探索長さを拡張するための画面構成を順次示す図である。
映像表示装置で動画コンテンツを再生する場合、映像表示装置は図１３（ａ）に示したように動画コンテンツの再生画面１３００を表示部１１０に表示する。この際、探索イベントが発生する場合、映像表示装置は図１３（ａ）に示したように映像情報領域１３１０及び映像探索領域１３２０を表示部１１０に表示する。ここで、映像探索領域１３２０は映像探索バー１３２１及び映像探索ボタン１３２３を含む。
【００９３】
精密検索イベントが発生する場合、映像表示装置は図１３（ｂ）に示したように映像探索バー１３２１のマルチタッチ情報を考慮して精密探索区間［１３３０〜１３４０］を決定する。詳しくは、映像表示装置は映像探索バー１３２１のマルチタッチ地点である第１地点１３３０と第２地点１３４０を考慮して精密探索区間［１３３０〜１３４０］を設定する。
【００９４】
精密探索区間［１３３０〜１３４０］を確認した後、映像表示装置は図１３（ｄ）に示したように精密探索区間［１３３０〜１３４０］がマッチングされた精密探索バー１３２５を映像探索領域１３２０に表示する。その後、映像表示装置は精密探索バー１３２５のタッチ情報を考慮して精密探索区間［１３３０〜１３４０］に含まれる動画コンテンツの再生時点を検索し得る。ここで、精密探索バー１３２５は精密探索区間［１３３０〜１３４０］を精密検索できるように、映像探索バー１３２１の内の精密探索区間［１１３０〜１１４０］に対応する部分の長さが例えば図示したように蛇行により拡張された形で表示される。
【００９５】
上述したように、映像表示装置は映像探索バー１３２１に対するマルチタッチ情報を考慮して映像探索区間製［１３３０〜１３４０］を設定する。この際、映像表示装置は図１３（ｃ）に示したように映像探索バー１３２１の精密探索区間［１３３０〜１３４０］に対するタッチ情報を考慮して精密探索区間［１３３０〜１３４０］の位置を変更し得る。例えば、映像表示装置は映像探索バー１３２１の精密探索区間［１３３０〜１３４０］に対するタッチが基準時間以上維持される場合、精密探索区間移動モードを活性化する。その後、映像表示装置は精密探索区間［１３３０〜１３４０］に対するドラッグ情報に従って精密探索区間［１３３０〜１３４０］の位置を左に、又は右に変更する。
【００９６】
図１４（ａ）乃至図１４（ｄ）は、本発明の第４実施例による探索バーの探索長さを拡張するための画面構成を順次示す図である。
映像表示装置で動画コンテンツを再生する場合、映像表示装置は図１４（ａ）に示したように動画コンテンツの再生画面１４００を表示部１１０に表示する。この際、探索イベントが発生する場合、映像表示装置は図１４（ａ）に示したように映像情報領域１４１０及び映像探索領域１４２０を表示部１１０に表示する。ここで、映像探索領域１４２０は映像探索バー１４２１及び映像探索ボタン１４２３を含む。
【００９７】
精密検索イベントが発生する場合、映像表示装置は図１４（ｂ）及び図１４（ｃ）に示したように映像探索バー１４２１のタッチ情報を考慮して精密探索区間［１４３０〜１４４０］を決定する。詳しくは、映像表示装置は図１４（ｂ）に示したように映像探索バー１４２１の第１タッチ地点１４３０と図１４（ｃ）に示した映像探索バー１４２１の第２地点１４４０を考慮して精密探索区間［１４３０〜１４４０］を設定する。
【００９８】
精密探索区間［１４３０〜１４４０］を確認した後、映像表示装置は図１４（ｄ）に示したように精密探索区間［１４３０〜１４４０］にマッチングされた精密探索バー１４２５を映像探索領域１４２０に表示する。その後、映像表示装置は精密探索バー１４２５のタッチ情報を考慮して精密探索区間［１４３０〜１４４０］に含まれる動画コンテンツの再生時点を検索し得る。ここで、精密探索バー１４２５は精密探索区間［１４３０〜１４４０］を精密検索できるように、製造探索バー１４２１の内の精密探索区間［１２３０〜１２４０］に対応する部分の長さが例えば図示したように蛇行により拡張された形で表示される。
【００９９】
上述したように、映像表示装置は映像探索バー１４２１に対する複数回のタッチ情報を考慮して映像探索区間［１４３０〜１４４０］を設定する。この際、映像表示装置は映像探索バー１４２１の精密探索区間［１４３０〜１４４０］に対するタッチ情報を考慮して精密探索区間［１４３０〜１４４０］の位置を変更し得る。例えば、映像表示装置は精密探索区間［１４３０〜１４４０］に対するタッチが基準時間以上維持される場合、精密探索区間移動モードを活性化する。その後、映像表示装置は精密探索区間［１４３０〜１４４０］に対するドラッグ情報に従って精密探索区間［１４３０〜１４４０］の位置を左に、又は右に変更する。
【０１００】
上述した実施例において、映像表示装置は精密探索バーを利用して動画の再生時点を精密検索する。
他の例として、映像表示装置は図１５に示したように映像探索バーに対するタッチ情報を考慮して動画の再生時点を精密検索してもよい。
【０１０１】
図１５は、本発明の実施例による映像表示装置におけるジェスチャの種類によって動画の再生時点を検索するための手順を示す図である。
図１５を参照すると、映像表示装置はステップ１５０１で動画コンテンツを再生するのかを確認する。例えば、映像表示装置は使用者の操作によって再生するための動画コンテンツが選択されるのかを確認する。
動画コンテンツを再生しない場合、映像表示装置は本アルゴリズムを終了する。
【０１０２】
一方、動画コンテンツを再生する場合、映像表示装置はステップ１５０３に進行して該当動画コンテンツに対する再生画面を表示する。例えば、映像表示装置は図１６（ａ）に示したように動画コンテンツの再生画面１６００を表示部１１０に表示する。もし、探索イベントが発生する場合、映像表示装置は図１６（ａ）に示したように映像情報領域１６１０及び映像探索領域１６２０を表示部１１０に表示する。ここで、映像探索領域１６２０は映像探索バー１６２１及び映像探索ボタン１６２３を含む。
【０１０３】
次に、映像表示装置はステップ１５０５に進行し、映像探索バーに対するドラッグが感知されるのかを確認する。
映像探索バーに対するドラッグが感知される場合、映像表示装置はステップ１５０７に進行し、映像探索バーに対するドラッグ方向を考慮してステップ１５０５で感知されたドラッグが精密検索ドラッグであるのかを確認する。例えば、図１６（ｂ）に示したように映像探索バーに対する左又は右ドラッグが感知された場合、映像表示装置は一般検索ドラッグが発生したと認識する。一方、図１６（ｃ）に示したように映像探索バーに対する上又は下ドラッグが感知された場合、映像表示装置は精密検索ドラッグが発生したと認識する。
【０１０４】
精密検索ドラッグが感知された場合、映像表示装置はステップ１５０９に進行して精密探索ドラッグの方向（上又は下ドラッグ）を確認する。
次に、映像表示装置はステップ１５１１に進行して変更間隔を確認する。例えば、映像表示装置は既に設定された変更間隔を確認する。この際、変更間隔は使用者の操作によって変更され得る。
【０１０５】
精密検索ドラッグの方向及び変更間隔を確認した後、映像表示装置はステップ１５１３に進行し、精密探索ドラッグの方向及び変更間隔を考慮して動画コンテンツの再生時点を変更する。例えば、変更間隔が３秒に設定されて下方の精密検索ドラッグが感知される場合、映像表示装置は動画コンテンツの再生時点を先に３秒変更する。他の例として、変更間隔が３秒に設定されて上方の精密検索ドラッグが感知される場合、映像表示装置は動画コンテンツの再生時点を後に３秒変更する。
【０１０６】
一方、ステップ１５０７で一般検索ドラッグが感知される場合、映像表示装置はステップ１５１５に進行して一般検索ドラッグの方向（例：左又は右ドラッグ）を確認する。
【０１０７】
次に、映像表示装置はステップ１５１７に進行してドラッグ距離を確認する。
一般検索ドラッグの方向及びドラッグ距離を確認した後、映像表示装置はステップ１５１３に進行し、一般探索ドラッグの方向及びドラック距離を考慮して動画コンテンツの再生時点を変更する。
【０１０８】
次に、映像表示装置は本アルゴリズムを終了する。
上述した実施例において、映像表示装置は精密検索タッチが感知される場合、変更間隔だけ動画コンテンツの再生時点を変更する。もし、複数回の精密検索タッチが連続的に感知される場合、映像表示装置は精密検索タッチの回数及び１回の精密検索タッチによる変更間隔を考慮して動画コンテンツの再生時点を変更してもよい。また、映像表示装置は精密検索タッチが持続的に維持される場合、基準時間間隔に従って変更間隔を増加してもよい。
【０１０９】
上述したように、映像表示装置は映像探索バーに対するタッチ又はジェスチャによって既に設定された変更間隔に従って動画コンテンツの再生時点を変更する。この際、映像表示装置は変更間隔を調節して動画コンテンツの再生時点を精密に検索し得る利点がある。ここで、タッチは左又は右ドラッグを含み、ジェスチャは上又は下ドラッグ及び円形タッチを含む。
【０１１０】
図１７は、本発明の実施例による映像表示装置における探索バーの探索長さを拡張するための手順を示す図である。
図１７を参照すると、映像表示装置はステップ１７０１で動画コンテンツを再生するのかを確認する。例えば、映像表示装置は使用者の操作によって再生するための動画コンテンツが選択されるのかを確認する。
【０１１１】
動画コンテンツを再生しない場合、映像表示装置は本アルゴリズムを終了する。
一方、動画コンテンツを再生する場合、映像表示装置はステップ１７０３に進行して該当動画コンテンツに対する再生画面を表示する。例えば、映像表示装置は図１８（ａ）に示したように動画コンテンツの再生画面１８００を表示部１１０に表示する。もし、探索イベントが発生する場合、映像表示装置は図１８（ａ）に示したように映像情報領域１８１０及び映像探索領域１８２０を表示部１１０に表示する。ここで、映像探索領域１８２０は映像探索バー１８２１及び映像探索ボタンを含む。
【０１１２】
次に、映像表示装置はステップ１７０５に進行し、精密探索イベントが発生するのかを確認する。例えば、映像表示装置は図１８（ｂ）に示したように映像探索領域で映像探索バーを除いた部分に対するタッチが感知されるのかを確認する。他の例として、映像表示装置は映像探索領域で映像探索バーを除いた部分に対するタッチが基準時間以上維持されるのかを確認する。
【０１１３】
精密探索イベントが発生しない場合、映像表示装置は本アルゴリズムを終了する。もし、映像探索領域に含まれた映像探索バーに対するドラッグ情報が感知される場合、映像表示装置は映像探索バーに対するドラッグ情報を考慮して動画コンテンツの再生時点を変更し得る。
【０１１４】
一方、精密探索イベントが発生する場合、映像表示装置はステップ１７０７に進行し、映像探索バーの長さを拡大表示する。例えば、映像表示装置は図１８（ｃ）に示したように、その長さが拡張された映像探索バー１８２３を表示する。
【０１１５】
次に、映像表示装置はステップ１７０９に進行し、拡大された映像探索バーに対するタッチが感知されるのかを確認する。
拡大された映像探索バーに対するタッチが感知される場合、映像表示装置はステップ１７１１に進行し、拡大された映像探索バーに対するタッチ情報を考慮して動画コンテンツの再生地点を変更する。例えば、拡大された映像探索バーに対するドラッグ情報が感知される場合、映像表示装置はドラッグ方向及び距離によって動画コンテンツの再生地点を変更する。他の例として、拡大された映像探索バーの任意の地点がタッチされる場合、映像表示装置は拡大された映像探索バーのタッチ地点を考慮して動画コンテンツの再生地点を変更してもよい。
【０１１６】
次に、映像表示装置は本アルゴリズムを終了する。
上述したように、映像表示装置におけるマルチメディアコンテンツの再生区間を精密に検索するための使用者インターフェースを提供することで、マルチメディアコンテンツを再生する際再生時点を精密に検索することができ、使用者が容易に望みの再生時点を明確に検索し得る利点がある。
【０１１７】
一方、本発明の詳細なでは具体的な実施例に関して説明したが、本発明の範囲を逸脱しない範囲内で多様な変形が可能である。従って、本発明の範囲は説明された実施例に限って決められてはならず、後述する特許請求の範囲だけでなく、この特許請求の範囲と均等なものによって決められるべきである。
【符号の説明】
【０１１８】
１００      制御部
１０２      ガイド構成部
１１０      保存部
１２０      表示部
１３０      入力部
１４０      オーディオ処理部
１５０      通信部
１６０      カメラ部
３００、４００、５００、６００      動画コンテンツの再生画面
３１０、４１０、５１０、６１０      映像情報領域
３２０、４２０、５２０、６２０      映像探索領域
３２１、４２１、５２１、６２１      映像探索バー
３２３、４２３、５２３、６２３      精密探索バー
３２５、４２５、５２５、６２５      映像探索ボタン
３３０、４３０、５３０、６３０      第１地点
３４０、４４０、５４０、６４０      第２地点
７００、８００、９００、１０００      動画コンテンツの再生画面
７１０、８１０、９１０、１０１０      映像情報領域
７２０、８２０、９２０、１０２０      映像探索領域
７２１、８２１、９２１、１０２１      映像探索バー
７２３、８２３、９２３、１０２３      映像探索ボタン
７２５、８２５、９２５、１０２５      精密探索バー
７３０、８３０、９３０、１０３０      第１地点
７４０、８４０、９４０、１０４０      第２地点
１１００、１２００、１３００、１４００      動画コンテンツの再生画面
１１１０、１２１０、１３１０、１４１０      映像情報領域
１１２０、１２２０、１３２０、１４２０      映像探索領域
１１２１、１２２１、１３２１、１４２１      映像探索バー
１１２３、１２２３、１３２３、１４２３      映像探索ボタン
１１２５、１２２５、１３２５、１４２５      （その長さが拡張された）精密探索バー
１６００、１８００      動画コンテンツの再生画面
１６１０、１８１０      映像情報領域
１６２０、１８２０      映像探索領域
１６２１、１８２１      映像探索バー
１６２３      映像探索ボタン
１８２３      その長さが拡張された映像探索バー
【図１】
0005664883.tif 000002
【図２】
0005664883.tif 000003
【図３】
0005664883.tif 000004
【図４】
0005664883.tif 000005
【図５】
0005664883.tif 000006
【図６】
0005664883.tif 000007
【図７】
0005664883.tif 000008
【図８】
0005664883.tif 000009
【図９】
0005664883.tif 000010
【図１０】
0005664883.tif 000011
【図１１】
0005664883.tif 000012
【図１２】
0005664883.tif 000013
【図１３】
0005664883.tif 000014
【図１４】
0005664883.tif 000015
【図１５】
0005664883.tif 000016
【図１６】
0005664883.tif 000017
【図１７】
0005664883.tif 000018
【図１８】
0005664883.tif 000019